(57)【特許請求の範囲】
【請求項１】
少なくとも１つの管理対象の設備機器に接続して管理データを取得し、接続媒介機器を介して監視端末に伝送する設備機器の集中管理装置であって、
管理対象の設備機器と接続する入力側インターフェースと、
前記設備機器の管理データを出力するとともに、前記監視端末が送信した情報を受け取る出力側インターフェースと、
前記設備機器の制御プログラムを格納した記憶部と、
前記制御プログラムの指示に従って前記設備機器を制御する演算処理部とを備え、
前記記憶部は、
前記入力側インターフェースに対応した第１伝送プログラムと、
前記接続媒介機器のインターフェースに対応した第２伝送プログラムとを格納し、
前記演算処理部は、
前記第１伝送プログラムの指示に従って、前記入力側インターフェースを介して前記設備機器より管理データを取得し、
前記第２伝送プログラムの指示に従って、前記管理データを、前記接続媒介機器のインターフェースに対応した形式で前記出力側インターフェースに出力し、
前記出力側インターフェースより、前記第２伝送プログラムを格納する領域に格納すべきプログラムに関する情報を受け取ると、該情報に基づいて、前記第２伝送プログラムを格納する領域にプログラムを格納するものであり、
前記出力側インターフェースの出力先を分岐させる経路切替手段を設け、
該経路切替手段の１つの分岐路から前記設備機器の管理データを出力するように構成するとともに、
別の分岐路に、前記第２伝送プログラムを格納する領域に格納すべきプログラムに関する情報を設定するプログラム設定器を接続した、
ことを特徴とする設備機器の集中管理装置。
【請求項２】
前記出力側インターフェースに対応した電気的信号と、前記接続媒介機器のインターフェースに対応した電気的信号とを可逆変換するインターフェース部材を設け、
該インターフェース部材を前記出力側インターフェースに接続したことを特徴とする請求項１に記載の設備機器の集中管理装置。
【請求項３】
前記第２伝送プログラムは、３つ以上の機器と接続して各機器と情報交換可能な伝送方式を用いるように構成されたことを特徴とする請求項１又は２記載の設備機器の集中管理装置。
【請求項４】
前記経路切替手段を、
ソケットと切替接点部材とにより構成したことを特徴とする請求項１〜３のいずれか一項に記載の設備機器の集中管理装置。
【請求項５】
前記経路切替手段のいずれの分岐路に機器が接続されているかを認識する経路選択認識手段を設け、
前記演算処理部は、
前記経路選択認識手段が前記プログラム設定器との接続を認識している際には、
前記第１伝送プログラムの指示に従って、前記出力側インターフェースを介して前記第２伝送プログラムを受け取り、
前記経路選択認識手段が前記接続媒介機器との接続を認識している際には、
前記第２伝送プログラムの指示に従って、前記管理データを前記出力側インターフェースに出力することを特徴とする請求項１〜４のいずれか一項に記載の設備機器の集中管理装置。
【請求項６】
前記記憶部は、格納している各プログラムの使用可否を定めた使用可否情報を保持し、
前記演算処理部は、
前記記憶部が格納している各プログラムのうち、前記使用可否情報により使用可と定められたプログラムを実行することを特徴とする請求項１〜５のいずれか一項に記載の設備機器の集中管理装置。
【請求項７】
前記使用可否情報を使用可状態にするパスワードを入力するための入力手段を設け、
前記演算処理部は、
前記入力手段により入力されたパスワードを受け取り、
前記使用許可情報のうち、該パスワードに所定の関係で対応付けられた部分を使用可状態に変更することを特徴とする請求項６記載の設備機器の集中管理装置。
【請求項８】
前記監視端末が送信した情報を表示する表示部を設けたことを特徴とする請求項１〜７のいずれか一項に記載の設備機器の集中管理装置。
【請求項９】
請求項１〜８のいずれか一項に記載の設備機器の集中管理装置と、
該集中管理装置をネットワークに接続するための接続媒介機器と、
ネットワークを介して前記集中管理装置とデータ交換を行う監視端末とを備えたことを特徴とする設備機器の管理システム。
【発明の詳細な説明】
【技術分野】
【０００１】
この発明は、設備機器の運転制御、運転状態の監視を行う集中管理装置と、その集中管理装置を用いた管理システムに関するものである。
【背景技術】
【０００２】
従来、設備機器の管理システムにおいて、『空気調和機のオープン化、マルチベンダ化を行ない、管理の高効率化と、サービス等の飛躍的向上を図る。』ことを目的とした技術として、『室外機３０１と室内機３０２が伝送路４０１で接続され制御電文が送受信される空気調和機に対する監視装置１００を備えた空気調和機の管理システムにおいて、伝送路４０１へ設定データを送信し、伝送路４０１から冷凍サイクルの主要部の温度、圧力を運転データとして受信するＰＡＣ用伝送ソフト２０３と、運転データと設定データとを変換するコンバータ２０２と、を備え、運転データは所定周期で制御電文から抽出されて監視装置１００へ送信され、設定データはそのデータが変化した場合に制御電文として伝送路４０１へ送信される。』というものが提案されている（特許文献１）。【０００３】
一方、設備機器の遠隔監視に関する技術として、集中管理装置にモデムを内蔵させるか又は集中管理装置にＥＩＡ（米国電子工業会）規格ＲＳ２３２Ｃの標準インターフェース接続ポートを設け、該接続ポートを介して市販のモデムを外付けするかもしくはＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）方式のＰＣカード差込口を設け、該差込口にモデム機能を有する市販のＰＣカードを差し込み可能としたものが知られている。
上記構成により、集中管理装置を通信可能にすることができるので、集中管理装置を介して遠隔通信により設備機器を監視することが可能となる。【０００４】
【特許文献１】特開２００４−３８４２号公報（要約）
【発明の開示】
【発明が解決しようとする課題】
【０００５】
従来の設備機器の管理システムにおいて、集中管理装置にモデムを内蔵させると、モデムによる通信方式が使用できる一方で、欧州で一般的に使用されるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）デジタル携帯電話方式等の通信方式が使用できなくなる。
また、遠隔監視を不必要とするユーザにとっては、集中管理装置にモデムを内蔵させた分、余分なコストアップとなる。【０００６】
また、ＲＳ２３２Ｃ端子、ＰＣＭＣＩＡ接続ポート、その他の業界標準それぞれの伝送方式に対応したモデムインターフェース部材やＧＳＭインターフェース部材を集中管理装置に接続すれば、モデムとＧＳＭの双方の通信方式に対応できるが、これら業界標準の通信方式や伝送手段は年々変化する場合があり、市販のインターフェース部材が将来入手困難となる可能性がある。
こうした変化に追従するためには、継続的開発が必要となり、開発コスト、技術的サービスコストが増大するといった経済的な課題が生じる。【０００７】
この発明は上記の種々の課題を解決するためになされたもので、データ伝送手段が変更されたとしても簡単かつ安価に対応可能であり、かつコンパクトな設備機器の集中管理装置、及びその集中管理装置を用いた管理システムを提供することを目的とする。
【課題を解決するための手段】
【０００８】
この発明に係る設備機器の集中管理装置は、少なくとも１つの管理対象の設備機器に接続して管理データを取得し、接続媒介機器を介して監視端末に伝送する設備機器の集中管理装置であって、
管理対象の設備機器と接続する入力側インターフェースと、
前記設備機器の管理データを出力するとともに、前記監視端末が送信した情報を受け取る出力側インターフェースと、
前記設備機器の制御プログラムを格納した記憶部と、
前記制御プログラムの指示に従って前記設備機器を制御する演算処理部とを備え、
前記記憶部は、
前記入力側インターフェースに対応した第１伝送プログラムと、
前記接続媒介機器のインターフェースに対応した第２伝送プログラムとを格納し、
前記演算処理部は、
前記第１伝送プログラムの指示に従って、前記入力側インターフェースを介して前記設備機器より管理データを取得し、
前記第２伝送プログラムの指示に従って、前記管理データを、前記接続媒介機器のインターフェースに対応した形式で前記出力側インターフェースに出力し、
前記出力側インターフェースより、前記第２伝送プログラムを格納する領域に格納すべきプログラムに関する情報を受け取ると、該情報に基づいて、前記第２伝送プログラムを格納する領域にプログラムを格納するものであり、
前記出力側インターフェースの出力先を分岐させる経路切替手段を設け、
該経路切替手段の１つの分岐路から前記設備機器の管理データを出力するように構成するとともに、
別の分岐路に、前記第２伝送プログラムを格納する領域に格納すべきプログラムに関する情報を設定するプログラム設定器を接続したものである。
【発明の効果】
【０００９】
本発明に係る設備機器の集中管理装置は、モデムのような遠隔通信手段を内蔵していないので、遠隔監視が不要なユーザには余分なコスト負担を掛けることが無いという優れた作用効果を奏し得る。
また、記憶部が格納しているプログラムを入れ替えれば、異なる伝送方式に対応することができ、簡単かつ安価に変更への対応が可能であるという優れた作用効果を奏し得る。
【図面の簡単な説明】
【００１０】
【図１】実施の形態１に係る設備機器の管理システムの全体構成を示すブロック図である。
【図２】実施の形態２に係る設備機器の管理システムの一部の構成を示すブロック図である。
【図３】プログラム設定器７００により記憶部１３０のプログラム書込み領域に第２伝送プログラムが書込み設定された後の構成を示すものである。
【図４】実施の形態３に係る設備機器の管理システムの全体構成を示すブロック図である。
【図５】経路切替手段１８０の構成例を示すものである。
【図６】実施の形態４に係る設備機器の管理システムの全体構成を示すブロック図である。
【図７】プログラム使用可否情報の設定に関する手順を示すものである。
【図８】実施の形態６に係る設備機器の管理システムの全体構成を示すブロック図である。
【図９】実施の形態７に係る設備機器の管理システムの、集中管理装置１００が備える表示部１６０について説明するものである。
【符号の説明】
【００１１】
１００  設備機器の集中管理装置
１１０  入力側インターフェース
１２０  出力側インターフェース
１３０  記憶部
１４０  演算処理部
１５０  選択回路
１６０  表示部
１７０  操作部
１８０  経路切替手段
１８０ａ  切替接点部材
１８０ｂ  ソケット
１９０  経路選択認識回路
２００  空気調和機の室外機
２１０  室内機
３００、３００ａ、３００ｂ  インターフェース部材
３１０、３１０ａ、３１０ｂ  伝送方式可逆変換回路
３２０ｂ  コネクタ
４００  接続媒介機器
４１０  モデム
４２０  データ伝送回路
５００  公衆通信回線
６００  監視端末
７００  プログラム設定器
８００  ビル監視装置
９００  ビル管理システム
【発明を実施するための最良の形態】
【００１２】
以下、本発明の実施の形態１〜６を、添付図面を参照して説明する。
なお、実施の形態１〜６の構成の説明において、等価の構成部分には同一の数字符号を付して該構成部分の重複した詳細な説明を省略する。【００１３】
実施の形態１．
図１は、本発明の実施の形態１に係る設備機器の管理システムの全体構成を示すブロック図である。
図１において、１００は設備機器の集中管理装置、２００は管理対象である設備機器としての空気調和機の室外機、２１０は室外機２００に対応した室内機、３００はインターフェース部材、４００は接続媒介機器、５００は公衆通信回線、６００は監視端末である。
以下、それぞれの構成について説明する。【００１４】
集中管理装置１００は、入力側インターフェース１１０、出力側インターフェース１２０、記憶部１３０、演算処理部１４０、選択回路１５０、表示部１６０、操作部１７０を備える。
入力側インターフェース１１０は、集中管理装置１００による管理対象の設備機器に接続され、当該設備機器より管理データを取得するための接続インターフェースである。
出力側インターフェース１２０は、設備機器より取得した管理データを出力するとともに、監視端末６００が送信した情報を受け取るための接続インターフェースである。
入力側インターフェース１１０と出力側インターフェース１２０は、ともにデータ伝送回路によって構成される。
記憶部１３０は、制御プログラム、第１伝送プログラム、第２伝送プログラムを格納するとともに、各プログラムの使用可否情報を格納する。
各プログラムは少なくとも１つずつ記憶部１３０に格納されている。それぞれの動作については後述する。また、本実施の形態１では、使用可否情報には全て使用可である旨がセットされているものとする。
演算処理部１４０は、ＣＰＵ等から構成され、記憶部１３０が格納している各プログラムの指示に従って、管理対象の設備機器の制御やデータ伝送などの処理を行う。
選択回路１５０は、記憶部１３０が格納している各プログラムのいずれを用いるかを選択する機能を持つ。
表示部１６０は、集中管理装置１００の使用者に、集中管理装置１００や設備機器の動作状態などを表示する。
操作部１７０は、集中管理装置１００の使用者が設備機器の管理条件などを設定するための操作を行うものである。【００１５】
空気調和機の室外機２００と室内機２１０は、集中管理装置１００により運転状態を管理される。
空気調和機の室外機２００は、入力側インターフェース１１０に接続され、図示しない複合施設内の適当な場所に据置されている。図１では、２台の室外機２００が入力側インターフェース１１０に接続された例を示している。
室内機２１０は、それぞれの室外機２００に対応して設けられている。図１では、一方の室外機２００に１つの室内機２１０が接続され、もう一方の室外機２００には２つの室内機２１０が接続されている。【００１６】
インターフェース部材３００は、伝送方式可逆変換回路３１０を備えている。
インターフェース部材３００の一端は出力側インターフェース１２０に、別の一端は接続媒介機器４００に接続されている。
伝送方式可逆変換回路３１０は、入力端と出力端の伝送方式を電気信号的に可逆変換するものである。
伝送方式可逆変換回路３１０により、出力側インターフェース１２０から出力されたデータは、接続媒介機器４００が備えるインターフェースに対応した伝送方式を用いるものに変換されて出力される。同様に、接続媒介機器４００が備えるインターフェースが出力したデータは、出力側インターフェース１２０に対応した伝送方式を用いるものに変換されて出力される。
なお、室外機２００と室内機２１０に強化絶縁対策が施されていないときは、インターフェース部材３００に公知の方法で強化絶縁対策が施される。【００１７】
接続媒介機器４００は、例えばマイクロプロセッサを用いて構成された市販のデジタルデータ伝送機器であり、汎用型ＩＴ機器の一種である。
接続媒介機器４００は、モデム４１０とデータ伝送回路４２０を備える。
データ伝送回路４２０は、インターフェース部材３００の一端と接続されるとともに、モデム４００と接続されている。
モデム４１０は、データ伝送回路とのデータのやり取りを行うとともに、公衆通信回線５００に接続され、公衆通信回線５００を介したデータの送受信を行う。
集中管理装置１００は、インターフェース部材３００〜接続媒介機器４００を介して公衆通信回線５００に接続され、公衆通信回線５００を介したデータの送受信を行うことが可能となっている。【００１８】
監視端末６００は、各集中管理装置１００が配置される場所から適宜離間した遠隔地に建設された図示しない管理センター内に配置され、接続媒介機器４００を介して集中管理装置１００と双方向通信可能とされる。
これにより、監視端末６００は、各集中管理装置１００の管理対象の空気調和機又はそれと同類の設備機器と情報交換可能とされる。
監視端末６００は、例えばパソコンのようなコンピュータで構成することができる。【００１９】
次に、集中管理装置１００の動作について説明する。【００２０】
（１）運転条件の設定
ユーザは操作部１７０の図示しない入力操作ボタンを操作して、空気調和機の運転条件を設定する。
これらの設定入力された運転条件を含むデータは、表示部１６０に表示されるとともに演算処理部１４０に転送される。
（２）運転開始
演算処理部１４０は、ステップ（１）で転送されたデータに基づき、入力側インターフェース１１０を介して室外機２００および室内機２１０と情報交換する。
室外機２００および室内機２１０は、入力側インターフェース１１０を介して受信したデータに基づき運転制御される。
（３）管理データ取得
演算処理部１４０は、室外機２００および室内機２１０の運転が開始すると、第１伝送プログラムの指示にしたがって、図示しないセンサにより採取された運転状態を示すデータ（管理データ）を、入力側インターフェース１１０を介して受け取る。
（４）管理データに基づく制御
演算処理部１４０は、取得した管理データに基づき、空気調和機の運転状態を表示部１６０に表示させる。
また、演算処理部１４０は、設定入力された運転条件データおよび取得した管理データに基づき、記憶部１３０から読み出した制御プログラムの指示にしたがって管理対象の空気調和機を制御する。
（５）管理データの出力
演算処理部１４０は、記憶部１３０に記憶された使用可否情報のうち、使用可とされる番地に格納された第２伝送プログラムを読み出し、該第２伝送プログラムの指示にしたがって、出力側インターフェース１２０から管理対象の空気調和機の運転状態を示すデータ（管理データ）信号を出力する。【００２１】
次に、上述のステップ（５）の後における、インターフェース部材３００〜接続媒介機器４００の動作について説明する。【００２２】
（６）インターフェース部材３００による信号変換
インターフェース部材３００は、出力側インターフェース１２０から出力された運転状態データ（管理データ）信号を、データ伝送回路４２０の伝送方式に合わせて可逆変換する。これにより、出力側インターフェース１２０とデータ伝送回路４２０の間で電気的信号上のインターフェースが適合され、情報交換が行われる。
（７）管理データの送信
接続媒介機器４００は、データ伝送回路４２０により運転状態データ（管理データ）を受信すると、モデム４１０により受信した運転状態データ信号を信号変換し、公衆通信回線５００を介して監視端末６００に運転状態データを送信する。
（８）その他
データ伝送回路４２０に対応する伝送方式が、例えば、ＵＳＢ（Ｕｎｉｖｅｒｓａｌ  Ｓｅｒｉａｌ  Ｂｕｓ）方式であれば、接続媒介機器４００にＵＳＢ接続ポートが設けられ、該ＵＳＢ接続ポートにモデム４１０に取り付けられたＵＳＢ端子を差込んで公衆通信回線５００と双方向通信可能とされる。【００２３】
以上説明したように、本実施の形態１によれば、記憶部１３０に、接続媒介機器４００の伝送方式に対応する第２伝送プログラムを予め格納し、集中管理装置１００の出力端子に、選択回路１５０により選択された伝送方式に対応するインターフェース部材３００を接続することにより、多様な伝送方式に対応することができる。
また、ユーザが必要とする伝送方式に応じた伝送プログラムのみを記憶部１３０に格納し、選択した伝送プログラムに応じたインターフェース部材３００を集中管理装置１００の出力端子に接続することにより、ユーザが使用する接続媒介機器４００に適合した設備機器の管理システムを簡単かつ安価に構築することができる。【００２４】
将来、接続媒介機器４００の伝送方式が変更されても、変更された伝送方式に応じて記憶部１３０に格納する第２伝送プログラムとインターフェース部材３００とを変更することにより、簡単かつ安価に変更に対応することが可能である。
このように、インターフェース周辺の部材やプログラムを変更可能とすることにより、集中管理装置１００の基本的機能を設計変更することなく、長期間にわたり有効に使用することができる。【００２５】
また、既設の接続媒介機器４００が故障し、その伝送方式が廃止されたときでも、現在市販の接続媒介機器の伝送方式に応じて記憶部１３０に格納する第２伝送プログラムとインターフェース部材３００とを変更することにより対応可能であり、集中管理装置１００を新規なものに交換する必要はない。【００２６】
また、集中管理装置１００に強化絶縁対策が施されていない場合であっても、インターフェース部材３００に強化絶縁対策を施すことにより強化絶縁基準を満足させることが可能であり、集中管理装置１００の形状を大型化することなく、店舗内等の壁部に埋設することが可能である。【００２７】
また、出力側インターフェース１２０とインターフェース部材３００を接続するケーブル、もしくはインターフェース部材３００と接続媒介機器４００を接続するケーブルの長さを調整することにより、集中管理装置１００および接続媒介機器４００の設置場所を自由に選定することができる。【００２８】
実施の形態２．
図２は、本発明の実施の形態２に係る設備機器の管理システムの一部の構成を示すブロック図である。
本実施の形態２に係る設備機器の管理システムは、上述した実施の形態１と比べると、選択回路１５０を省略した点、記憶部１３０に格納するデータの構成、及び、新たにプログラム設定器７００を接続可能とした点が異なる。その他の構成部分は実施の形態１におけるものと同様である。
以下、主に実施の形態１との相違点について説明する。【００２９】
記憶部１３０は、第１伝送プログラムと制御プログラムを予め記憶した記憶領域と、書き換え可能なプログラム書込み領域とを有する。
プログラム書込み領域は、これから使用しようとする接続媒介機器のデータ伝送回路４２０に使用される伝送方式に応じた第２伝送プログラムが格納されることを想定して設けられたものである。【００３０】
また、本実施の形態２においては、インターフェース部材３００の一端に、プログラム設定器７００を接続可能としている。
プログラム設定器７００は、記憶部１３０のプログラム書込み領域に、これから使用する接続媒介機器４００のデータ伝送回路４２０に使用される伝送方式に応じた第２伝送プログラムを書込み設定する。【００３１】
図３は、プログラム設定器７００により記憶部１３０のプログラム書込み領域に第２伝送プログラムが書込み設定された後の構成を示すものである。
図３の構成は、記憶部１３０に格納する使用可否情報を省略した点と、選択回路１５０を省略した点を除けば、実施の形態１の図１と同様であるため、説明は省略する。【００３２】
次に、本実施の形態２において、プログラム設定器７００が記憶部１３０のプログラム書込み領域に第２伝送プログラムを設定する際の流れについて説明する。【００３３】
（１）プログラム設定器７００の接続〜第２伝送プログラムを出力
まず、インターフェース部材３００の、出力側インターフェース１２０と接続されていない一端に、プログラム設定器７００を接続する。
プログラム設定器７００は、インターフェース部材３００を介して、第２伝送プログラムを出力する。
（２）記憶部１３０への書込み
演算処理部１４０は、第１伝送プログラムの指示に従って、プログラム設定器７００が出力した第２伝送プログラムを、出力側インターフェース１２０を介して受け取る。
次に、演算処理部１４０は、受け取った第２伝送プログラムを、記憶部１３０のプログラム書込み領域に書き込む。
（３）接続媒介機器４００の接続
プログラム設定器７００をインターフェース部材３００から取り外し、替わりに接続媒介機器４００を接続する。
接続媒介機器４００は、モデム４１０を介して公衆通信回線５００に接続され、さらには公衆通信回線５００を介して監視端末６００に接続される。【００３４】
以上の手順により、実施の形態１と同様にして、集中管理装置１００、接続媒介機器４００、及び監視端末６００の間で、管理対象の空気調和機の運転制御および監視用のデータ信号の双方向伝送が可能となる。【００３５】
なお、プログラム設定器７００が備える接続インターフェースは、第１伝送プログラムによりデータ伝送が可能な伝送方式を用いるものであることを付言しておく。【００３６】
以上説明したように、本実施の形態２によれば、集中管理装置１００の構造を何ら変更することなく、予め予想できない将来の接続媒介機器４００が備えるインターフェース（及びデータ伝送回路４２０）にも対応することができる。
また、将来、接続媒介機器４００が取り替えられることがあっても、集中管理装置１００の構造を変えることなく、簡単かつ迅速に低コストをもって対処できる。
さらには、記憶部１３０には現在必要とする第２伝送プログラムのみをプログラム設定器７００により書込み設定するようにしたから、記憶部１３０の記憶容量の有効な軽減化を図ることができる。【００３７】
なお、図２〜図３では示していないが、記憶部１３０において、実施の形態１と同様に、使用可否情報を格納して、使用可の旨が設定されているプログラムのみを実行するようにしてもよい。【００３８】
実施の形態３．
図４は、本発明の実施の形態３に係る設備機器の管理システムの全体構成を示すブロック図である。
本実施の形態３に係る設備機器の管理システムは、上述した実施の形態１と比べると、出力側インターフェース１２０の出力側に経路切替手段１８０を設けて出力側インターフェース１２０の出力先を分岐した点が異なる。
以下、主に実施の形態１との相違点について説明する。【００３９】
図４の設備機器の管理システムにおいて、集中管理装置１００の出力側は、出力側インターフェース１２０と接続した経路切替手段１８０により２つに分岐される。
一方の分岐にインターフェース部材３００ａを接続し、他方の分岐にインターフェース部材３００ｂを接続する。
インターフェース部材３００ａには、実施の形態１と同様に、接続媒介機器４００が接続される。また、インターフェース部材３００ｂには、プログラム設定器７００が常時接続される。【００４０】
図５は、経路切替手段１８０の構成例を示すものである。
経路切替手段１８０は、集中管理装置１００の操作パネルに装着したソケット１８０ｂと、切替接点部材１８０ａとで構成される。また、インターフェース部材３００ｂの一端に設けられたコネクタ３２０ｂは、ソケット１８０ｂに差込み可能となっている。【００４１】
図５に示す設備機器の管理システムにおいて、図示しない店舗の壁面に集中管理装置１００を設置する場合は、以下の（１）〜（３）のように構成される。
（１）集中管理装置１００のケースの背面部にソケット１８０ｂを取り付ける。
（２）インターフェース部材３００ｂの一端に、ソケット１８０ｂに差し込まれるコネクタ３２０ｂが取り付けられる。
（３）インターフェース部材３００ｂとコネクタ３２０ｂを接続するケーブルは、集中管理装置１００を固定する壁面部の裏側に配線される。
このようにして、意匠的に何ら毀損することなく、美麗に集中管理装置１００を壁面部に固定することができる。【００４２】
以上説明したように、本実施の形態３によれば、プログラム設定器７００は、壁面部に固定された集中管理装置１００を取り外すことなく、集中管理装置１００に着脱自在に接続することができるので、サービス作業の効率化を有効に図ることができる。【００４３】
実施の形態４．
図６は、本発明の実施の形態４に係る設備機器の管理システムの全体構成を示すブロック図である。
本実施の形態４に係る設備機器の管理システムは、上述した実施の形態３と比べると、経路選択認識回路１９０を設けた点が異なる。
以下、主に実施の形態３との相違点について説明する。【００４４】
経路選択認識回路１９０は、経路切替手段１８０により、いずれの分岐路によるデータ伝送経路が選択されているかを認識する。
演算処理部１４０は、経路選択認識回路１９０の認識状態に応じて、以下のように処理を行う。
（１）プログラム設定器７００を接続した場合
経路選択認識回路１９０が、出力側インターフェース１２０とプログラム設定器７００の間のデータ伝送経路が選択された旨を認識したときは、演算処理部１４０は、第１伝送プログラムの指示に従ってプログラム設定器７００との間で情報交換を行う。
（２）接続媒介機器４００を接続した場合
経路選択認識回路１９０が、出力側インターフェース１２０と接続媒介機器４００の間のデータ伝送経路が選択された旨を認識したときは、演算処理部１４０は、第２伝送プログラムの指示に従って接続媒介機器４００との間で情報交換を行う。【００４５】
なお、経路選択認識回路１９０は、以下のように構成することもできる。
（１）演算処理部１４０に対して経路選択状態を示すデータを転送するための切替接点を切替接点部材１８０ａに設ける。
（２）演算処理部１４０が記憶部１３０に記憶されたそれぞれの伝送プログラムによって情報交換を試み、実際にデータ伝送ができるか否かにより、選択されている経路を認識する。【００４６】
以上説明したように、本実施の形態４によれば、それぞれ異なるデータ伝送回路を備えたプログラム設定器７００と接続媒介機器４００間で情報交換可能としたから、サービスマンが所有するプログラム設定器７００およびインターフェース部材３００ｂの着脱を繰り返すことなく常時固定し、簡単かつ迅速に任意のデータ伝送回路を備えた接続媒介機器４００を適用することができる。【００４７】
実施の形態５．
上述した各実施の形態において、第三者により各プログラムの使用可否情報が改ざんされると、管理者に無断で接続媒介機器４００の伝送方式や設備機器の制御内容を使用される虞がある。これを防止するには、集中管理装置１００の工場出荷時に、各プログラムの使用可否情報を暗号化して設定することが考えられる。
しかし、暗号化した使用可否情報を記憶部１３０に固定的に格納した場合、例えば、集中管理装置１００の据付工事者等に暗号化の情報を知られると、上述した無断使用の問題が生じる。
また、工場出荷時に使用可否情報を設定する方式では、集中管理装置１００の製造者に管理上の経済的負担を増大することになり、設備機器の管理システム全体の製作コストが高価となる問題が生じる。
そこで、本発明の実施の形態５では、上述した問題点を解消してユーザが必要とする設備機器の運転制御および監視機能を適正な金額で提供可能とする構成を示す。【００４８】
図７は、プログラム使用可否情報の設定に関する手順を示すものである。
図７（Ａ）は集中管理装置１００の工場出荷時処理手順、図７（Ｂ）はプログラム使用許可番号について、図７（Ｃ）は第２伝送プログラム使用許可番号の設定手順を示す。【００４９】
図７（Ａ）に示すように、集中管理装置１００の工場出荷時、出荷対象の集中管理装置１００とインターフェース部材３００ｂを介して接続されたプログラム設定器７００により、集中管理装置１００に固有の製造番号コードを入力する。
入力された製造番号コードは、記憶部１３０に格納される。【００５０】
図７（Ｂ）は、プログラム使用許可番号の規則を示すものである。
図７（Ｂ）に示すように、演算処理部１４０は、製造番号コードと、プログラム番号コードを変数とする関数ｆとで示される演算アルゴリズムに従った演算を行う。
演算された関数値が、あらかじめ一義的に定めたプログラムパスワードと一致したときのみ、当該プログラムを使用可と判定し、そのプログラムの使用可否情報を使用可である旨に設定する。【００５１】
図７（Ｃ）は、集中管理装置１００をユーザの設備機器据付場所に設置する際に、第２伝送プログラムの使用許可番号を設定する様子を示すものである。
設備機器の据付工事業者は、集中管理装置１００をユーザの設備機器据付場所に設置する際、図７（Ａ）と同様に、インターフェース部材３００ｂを介して接続したプログラム設定器７００により、プログラムパスワードを入力する。
入力されたパスワードと、図７（Ｂ）で説明した方法により演算されたパスワードとが一致した場合は、そのプログラムの使用可否情報を使用可である旨に設定して、集中管理装置１００および接続媒介機器４００の運転を有効化する。【００５２】
据付工事業者へのプログラム使用許可番号の提供を有償とすることにより、集中管理装置１００又は設備機器の製造業者は、制御プログラムおよび第２伝送プログラムの使用料金等を確実に回収することができる。
また、プログム使用許可番号の有償提供にあたり、該使用許可番号を含むパスワードを用いた販売制度を採用することにより、インターネットなどが利用できるため低コストで効率的な販売が可能となる。【００５３】
なお、プログラムパスワードの演算アルゴリズムは図７（Ｂ）で説明したものに限られるものではなく、パスワードが一義的に定まるものであれば、任意の方法を用いることができる。
また、設備機器の据付工事業者等にパスワードを入力させる方法は、図７（Ｃ）で説明したプログラム設定器７００による方法に限られるものではなく、例えば集中管理装置１００の操作部１７０を用いて直接入力するようにしてもよい。【００５４】
実施の形態６．
図８は、本発明の実施の形態６に係る設備機器の管理システムの全体構成を示すブロック図である。
図８において、集中管理装置１００ａ及び１００ｂの出力側インターフェースとして、ＥＩＡ規格ＲＳ２３２Ｃのものに代え、ＥＩＡ規格ＲＳ４８５のものを使用するようにしている。【００５５】
図８において、２２０は空気調和機とともに管理対象となっている冷凍機、２３０は同じく管理対象となっている冷蔵用ショーケースである。
冷凍機２２０と冷蔵用ショーケース２３０は、それぞれ異なる製造業者により製造されている場合が多く、一般的に、インターフェースとしてＥＩＡ規格ＲＳ４８５のものを用いている。
冷凍機２２０と冷蔵用ショーケース２３０との通信用のインターフェースにＥＩＡ規格ＲＳ４８５のものを用いることにより、集中管理装置１００ａ及び１００ｂは、各空気調和機、冷凍機２２０、及び冷蔵用ショーケース２３０と情報交換が可能となり、同一店舗内の全冷熱機器を一括して管理することができる。【００５６】
監視端末６００は、公衆通信回線５００及びインターフェース部材３００ａを介して、複数の集中管理装置（図８では集中管理装置１００ａおよび１００ｂ）を管理することができる。
ビルディング内に設置されたビル監視装置８００も、インターフェース部材３００ｂを介して、複数の集中管理装置（図８では集中管理装置１００ａおよび１００ｂ）を管理することができる。
ビル管理システム９００も、インターフェース部材３００ｃを介して、複数の集中管理装置（図８では集中管理装置１００ａおよび１００ｂ）を管理することができる。【００５７】
集中管理装置１００ａおよび集中管理装置１００ｂ内の第２伝送プログラムと、インターフェース部材３００ａ、３００ｂ、３００ｃとを、各機器が備えるインターフェースに対応したものに置換することにより、集中管理装置を多様な伝送方式に適合させることができる。
例えば、監視端末６００向けにはモデム・ＧＳＭ通信、ビル監視装置８００向けにはＵＳＢ・Ｅｔｈｅｒｎｅｔ（登録商標）通信、ビル管理システム９００向けにはＥＩＢ（Ｅｕｒｏｐｅａｎ  Ｉｎｓｔａｌｌａｔｉｏｎ  Ｂｕｓ）・Ｍｏｄｅ  Ｂｕｓ、といったように、各監視端末等が備えるインターフェースに合わせて、第２伝送プログラムとインターフェース部材を置換することにより、集中管理装置は、全ての監視端末等をデータ伝送が可能となる。【００５８】
以上説明したように、本実施の形態６によれば、３台以上の通信機器の接続を可能とする伝送方式を用い、集中管理装置１００ａ、１００ｂは、インターフェース部材３００ａ、３００ｂ、３００ｃを介して情報交換可能としたから、複数の集中管理装置（図８では集中管理装置１００ａおよび１００ｂ）は、それぞれ監視端末６００、ビル監視装置８００、ビル管理システム９００と連携して、一括管理を行うことができる。【００５９】
実施の形態７．
図９は、本発明の実施の形態７に係る設備機器の管理システムの、集中管理装置１００が備える表示部１６０について説明するものである。
表示部１６０は、任意の文字が表示できるドットマトリックス液晶ディスプレイを用いて構成され、通信回線を介して得た監視端末６００からの情報を表示する。
電文長が表示部１６０より長く一度に表示できない場合であっても、公知の表示回路（図示しない）により順送りスクロール方式で表示し、全情報が表示部１６０に表示可能とされる。【００６０】
以上のように、本実施の形態７によれば、設備機器の異常発生時に遠隔の監視端末から診断内容をユーザに知らせる場合、小規模店舗に設置される小型の集中管理装置のように表示部１６０が小さいものであっても、全てのメッセージを表示させることができる。【００６１】
なお、以上の実施の形態では、空気調和機、冷凍機等を管理対象としたが、本発明はビル等に設置される各種の設備機器にも同様に応用できることはいうまでもない。
【図１】
0004753951.tif 000002
【図２】
0004753951.tif 000003
【図３】
0004753951.tif 000004
【図４】
0004753951.tif 000005
【図５】
0004753951.tif 000006
【図６】
0004753951.tif 000007
【図７】
0004753951.tif 000008
【図８】
0004753951.tif 000009
【図９】
0004753951.tif 000010